(57)【要約】      （修正有）【課題】家畜排泄物のように含水率が高く塊状の原料をも、水分調整材等他の原料と迅速に均一に撹拌混合可能な撹拌装置を提供する。【解決手段】タンク１内左右両側に互いに内向き回転するとともに、同方向Ａへの搬送機能を有する複数の撹拌爪２，２を備える二本の撹拌軸３，３を軸架し、その中央下方には上記撹拌軸３，３と逆方向Ｂへより強い搬送機能を有し複数の搬送翼４，４を備える搬送軸５を軸架するとともに、該撹拌筒軸３，３に空気ポンプＰを連通し、該撹拌爪２，２の近傍部から圧搾空気を堆肥原料中に噴出させ、撹拌混合作用と乾燥作用を促進する。【選択図】        図１
2004315259.tif 000002
【特許請求の範囲】
【請求項１】
タンク（１）内左右両側に互いに内向き回転（イ）するとともに同方向（Ａ）への搬送機能を有する複数の撹拌爪（２），（２）を備える二本の撹拌筒軸（３），（３）を軸架し、その中央下方には上記撹拌筒軸（３），（３）と逆方向（Ｂ）へより強い搬送機能を有する複数の搬送翼（４），（４）を備える搬送軸（５）を軸架するとともに、該撹拌筒軸（３），（３）に空気ポンプ（Ｐ）を連通し該撹拌爪（２），（２）の近傍部から圧搾空気を堆肥原料中に噴出可能に構成してなる堆肥等の撹拌装置。
【請求項２】
撹拌筒軸（３），（３）の外周適宜間隔毎に中空状のブラケット（６），（６）一端を溶着し、該ブラケット（６），（６）他端開口部（７）側から撹拌爪（２），（２）の基部を嵌入して両者を止具（８），（８）により止着するとともに、該ブラケット（６），（６）一端開口部（９）に連通して撹拌筒軸（３）に通孔（１０）を形成し、圧搾空気をブラケット（６）と該ブラケット（６）に挿通する撹拌爪（２）周囲との間隙から堆肥原料中に噴出可能に構成してなる請求項１記載の堆肥等の撹拌装置。
【発明の詳細な説明】
【０００１】
【発明の属する技術分野】
この発明は、家畜の排泄物等に大鋸屑等の水分調整材や微生物を繁殖させた堆肥化促進材等を均一に撹拌混合するための撹拌装置に関するものである。
【０００２】
【従来の技術】
【特許文献１】特開２００２−５３３８４号公報
特許文献１には、横架する回転軸から突設する支持軸先端に取着の撹拌羽根により、発酵槽内に投入された生ゴミを撹拌可能に構成するとともに、温風配管に形成の吹込み管から槽内に直接温風を供給する技術が開示されている。
【特許文献２】特開２００２−１６７２９３号公報
特許文献２には、処理槽中央の上下方向の回転軸に複数枚の撹拌翼を取着するとともに、撹拌翼の背面に取付けた排気管の噴出口から槽内に熱風を噴出させる技術が開示されている。
これらの技術は、単に掻き混ぜ用の撹拌装置であって、含水率の低い物や粒状の物は撹拌混合可能であるが、含水率の高い塊状のものは十分に撹拌混合できないものである。
【０００３】
【発明が解決しようとする課題】
この発明は上記の如き従来技術の欠点を解消し、家畜排泄物のように含水率が高く塊状の原料をも、水分調整材や微生物等を繁殖させる堆肥化促進材等と迅速に均一に撹拌混合させるとともに、塊状のものを解して好気性の微生物の繁殖に好適な空気層を形成し、更に、この堆肥原料中に圧搾空気を均一に噴出させて堆肥の乾燥をも行わせようとするものである。
【０００４】
【課題を解決するための手段】
タンク１内左右両側に互いに内向き回転イするとともに同方向Ａへの搬送機能を有する複数の撹拌爪２，２を備える二本の撹拌筒軸３，３を軸架し、その中央下方には上記撹拌筒軸３，３と逆方向Ｂへより強い搬送機能を有する複数の搬送翼４，４を備える搬送軸５を軸架するとともに、該撹拌筒軸３，３に空気ポンプＰを連通し該撹拌爪２，２の近傍部から圧搾空気を堆肥原料中に噴出可能に構成してなる堆肥等の撹拌装置の構成とする。
又、撹拌筒軸３，３の外周適宜間隔毎に中空状のブラケット６，６一端を溶着し、該ブラケット６，６他端開口部７側から撹拌爪２，２の基部を嵌入して両者を止具８，８により止着するとともに、該ブラケット６，６一端開口部９に連通して撹拌筒軸３に通孔１０を形成し、圧搾空気をブラケット６と該ブラケット６に挿通する撹拌爪２周囲との間隙から堆肥原料中に噴出可能に構成してなる堆肥等の撹拌装置の構成とする。
【０００５】
【発明の作用及び効果】
請求項１の発明にあっては、タンク１内に家畜排泄物と、大鋸屑や籾殻等の水分調整材や、微生物の繁殖を促す堆肥化促進材等を投入するとともに、タンク１内左右両側部に位置する二本の撹拌筒軸３，３及び、その中央下方に位置する搬送軸５を駆動する。
タンク１内両側部に位置する収納物、例えば堆肥原料は、該タンク１左右両側部に位置し互いに内向き回転イする二本の撹拌軸３，３に設けられ同方向Ａへ向け送り機能を有する複数の撹拌爪２，２の回転により、下方からタンク１側部を迂回して上方へ、更にタンク１中央へ向け送込み撹拌されながら該撹拌爪２，２によって矢印Ａ方向へ順次搬送される。
この行程において、タンク１両側部上層に位置する堆肥原料も内向き回転イする撹拌爪２，２による中央側への送り上げ作用を下層の堆肥を介して受ける為、撹拌爪２，２が外向き回転するものに比してより撹拌効果が高く、堆肥の上層、特に摩擦抵抗の大きい側板１２近傍部をも確実に撹拌できる。
又、左右両側の撹拌爪２，２によってタンク１内中央へ向け撹拌される堆肥原料は、その中央下方に位置する搬送軸５の複数の搬送翼４，４によって矢印Ｂ方向、即ち、左右の撹拌軸３，３の搬送方向と逆方向へ搬送されながらその回転によって撹拌され、更に、両側の撹拌爪２，２との相互撹拌作用によって均等に撹拌混合される。
【０００６】
又、堆肥原粒中に塊状のものが存在していても、撹拌爪２，２及び搬送翼４，４の強制回転による破砕作用と、これらの回転方向及び搬送方向の相異による相互作用により堆肥原料を細かく破砕して解し、好気性の微生物の繁殖に好適な空気層を形成する。
更に、中央の搬送軸５は一本であり、左右両側の二本の撹拌軸３，３の搬送量とのバランスを保つように、搬送翼４，４に大きな傾斜面を形成し強い搬送機能を持たせてあり、この大きい傾斜角の搬送翼４，４によりタンク１中央の堆肥原料を掬い上げて左右側の堆肥原料と撹拌することができる。
更に、この撹拌行程において、空気ポンプＰに連通する撹拌筒軸３，３の撹拌爪２，２近傍部から圧搾空気を噴出させてあり、撹拌中の堆肥を乾燥させるとともに、撹拌爪２，２の作用と相俟って堆肥原料中に多くの空気を含ませ、微生物の増殖を促進させることができる。
【０００７】
次に、請求項２の発明にあっては、撹拌筒軸３に撹拌爪２を取着するに、中空状のブラケット６一端を撹拌筒軸３に溶着し該ブラケット６他端開口部７側から撹拌爪２，２の基部を嵌入して両者を止具８により止着するものであり、その取付や交換が容易である。
又、該ブラケット６の一端開口部９に連通して撹拌筒軸３に通孔１０を形成し、圧搾空気をブラケット６と該ブラケット６に嵌入する撹拌爪２周囲との間隙から堆肥原料中に噴出させるものであるから、撹拌筒軸３の通孔１０に直接堆肥が接触せず目詰まりすることがない。
又、撹拌爪２周囲から圧搾空気を送り出すことにより、撹拌爪２により細かく解した状態の堆肥に直接噴風して乾燥させ、又、この噴風により堆肥の撹拌混合と解し作用を促進し、更に、堆肥中に空気を多く含ませることができる。
【０００８】
【実施の形態】
図例において、タンク１は下部タンク１ａと上部タンク１ｂとからなり、適宜支柱等によって枠組補強される前板１４、後板１５と両側板１２，１２と底板１１等から構成してある。
下部タンク１ａの上枠１９には上部タンク１ｂの下枠２０をボルト止め等により着脱自在に設けてあり、タンク容量を調節する場合には、上下タンク１ａ，１ｂ間に同様の手段で中間タンクを介在させる。
下部タンク１ａ内の左右両側部には、夫々中空状の撹拌筒軸３，３を前、後板１４，１５間に回転自在に軸架してある。
該撹拌筒軸３，３の外周適宜間隔毎に中空状のブラケット６，６一端外周を溶着し、該ブラケット６，６他端開口部７側から撹拌爪２，２の基部を嵌入させるとともに、ボルト８，８等の止具により両者を止着してある。
該撹拌爪２は、耕耘刃の如き形状であって、即ち、厚肉細幅の平板状材をブラケット６，６へ嵌入取着するとともに、所定高さの取付部２ａから順次回転方向イ後方へ向け後退湾曲させる爪部２ｂを形成し、更にその先端部を搬送方向Ａ側へ屈曲させて送り面２ｃを形成してある。又、これらの回転方向前縁は、鋭角に形成し刃部２ｄを設けてある。
【０００９】
該左右の撹拌筒軸３，３の撹拌爪２，２は、共に内向回転イ，イさせてあり、その回転方向は正面視右側が左回転し、左側が右回転するがその搬送方向を同方向Ａ，Ａとする為、左右の撹拌爪２，２の形状を左右対称に構成してある。又、該撹拌爪２，２は撹拌筒軸３の始端側から順次９０度毎位相を変えてラセン状に取着することにより、堆肥原料を撹拌しながら矢印Ａ方向へ搬送可能に構成してある。なお、前板１４近傍には同位相位置に二本の撹拌爪２，２を設け前板１４側の堆肥原料を素早く搬送し負荷の軽減を図っている。
又、撹拌筒軸３の終端側、即ち、後板１５近傍の撹拌爪数本は送り面２ｃを逆側に屈曲形成して逆送り撹拌爪２Ｅ，２Ｅとなし、反矢印Ａ方向へ搬送可能に構成してある。従って、その送り面２ｃにより反矢印イ方向へ送り戻される堆肥原料は、撹拌爪２，２により矢印Ａ方向へ送られる堆肥原料と撹拌されながら上方へ湧き上り中央側へ送り出される。この為、後板１５側へ必要以上に圧送されることがなく、負荷の軽減を図ることができる。
【００１０】
搬送軸５は、下部タンク１ａの中央下方に位置して前、後板１４，１５間に矢印ロ方向へ回転自在に軸架してあり、又、該搬送軸５の周囲にはその全長に亘って複数の搬送翼４，４基部を溶着固着してある。該搬送翼４は平板からなり、その基部を傾斜させて搬送軸５周囲に溶着することにより矢印Ｂ方向への送り作用を有するものであり、複数の搬送翼４，４を搬送軸５周囲に９０度毎順次位相を変えてラセン状に取着することにより矢印Ｂ方向へ搬送可能に構成してある。又、搬送翼４の搬送力を上げる為には、掬上面を屈曲形成するとよい。
又、この搬送軸５は一本であり、矢印Ａ方向へ搬送する左右二本の撹拌筒軸３，３終端から堆肥原料を引継いで矢印Ｂ方向へ循環搬送する構成の為、その搬送量をバランスさせるべく、搬送翼４の翼面を撹拌爪２，２のそれより大きく、又、取付傾斜角度を大きく構成してある。
該搬送軸５終端部の下部タンク１ａの底板１１には、前板１４側から一定間隔をおいてシャッター２２により開閉自在の排出口１３を設けてある。
該排出口１３と前板１４間の搬送軸５には、他の搬送翼４と前後反転させて逆送り可能の逆送り搬送翼４Ａ，４Ａを数枚設けてあり、撹拌時の前板１４側への堆肥原料の圧接を防止し、又、排出時の排出効率を高めるものである。更に、排出口１３の中央付近に位置する搬送軸５には、細幅台形板状の送り上げ翼１６を取着してあり、搬送翼４，４によって矢印Ｂ方向へ搬送される堆肥原料を上方へ送り上げ、左右の撹拌爪２，２に引継いで循環させるべく構成してある。
【００１１】
該送り上げ翼１６対応位置の撹拌筒軸３，３には、他の部位より撹拌搬送能力の高い撹拌爪２Ｆを設けてある。即ち、前述の如く他の部位では撹拌爪２，２を撹拌筒軸３の始端側から所定間隔毎に順次９０度位相を変えてラセン状に取着してあるが、該送り上げ翼１６対応位置の撹拌筒軸３には、同位置に１２０度等配にて三本の撹拌爪２Ｆ，２Ｆを取着してあり、送り上げ翼１６により供給される堆肥原料を矢印Ａ方向へ迅速に搬送可能に構成してある。なお、撹拌搬送能力を高める撹拌爪２の構成としては、搬送軸３方向の撹拌爪２，２の取付間隔を狭くする方法や、撹拌爪２，２の送り面２Ｃの角度や大きさの変更、又はそれらの組合せによる等いかなるものでもよい。
又、タンク１の前後が長い場合には、後板１５と排出口１３の間の中央付近の搬送軸５に同様の送り上げ翼１６を設け、堆肥原料の一部を上方へ送り上げ撹拌爪２，２に引継せて循環させるとよい。この場合にも、該部の撹拌爪２の撹拌搬送能力を高くすると引継が良好である。
【００１２】
左右両側の撹拌筒軸３，３の搬送方向Ａ終端には、後板１５に沿って回転し該後板１５に付着する、又、圧送される堆肥原料を掻取って中央側へ掻送る掻送り翼１７を設けてあり、搬送される堆肥原料を中央に位置し矢印Ｂ方向へ搬送機能を有する搬送翼４側へ掻送る為、撹拌筒軸３，３への負荷を軽減できるものである。
左右両側の撹拌軸３，３と、中央の搬送軸５とは、夫々装着する撹拌爪２，２と搬送翼４，４の作用範囲が平面視において一部オーバーラップさせる如く接近させ、又、その上下関係は撹拌爪２，２の下方側先端が搬送軸５の軸心近傍に位置する関係に設定してある。又、底板１１を湾曲させ搬送翼４，４下部外周に沿わせて形成する搬送受樋２３の左右上縁を、該搬送軸５の軸芯近傍に位置させ、該左右上縁から連続して左右の撹拌爪２，２の受樋１８，１８を設けてある。
従って、該受樋１８，１８の中央側上縁を浅く形成することにより、撹拌爪２，２の主体部を中央の搬送翼４，４と対向位置させてあり、両者が相対向する範囲を上下方向に大きくし、両者の相互作用による撹拌効果を更に向上させることができる。
２４はモータであって前板１４に取着の架台２５上に載置され、チェン２６を介して右側の撹拌軸３を内向き回転イさせ、更にチェン２７を介して中間軸２８を駆動し、該中間軸２８と左側の撹拌軸３とをスプロケット２９，２９伝動することにより該左側の撹拌軸３を同じく内向き回転イ可能に駆動してある。
３０はモータであって、同じく架台２５上に載置され、チェン３１を介して搬送軸５を矢印ロ方向に回転させる。従って、規定量以上の堆肥原料をタンク１内に投入して詰り等が発生した場合等に、搬送軸５のみ専用のモータ３０で駆動するとともに排出口１３を開口し、堆肥原料を排出することができる。
【００１３】
空気ポンプＰにより発生する圧搾空気は、連通管２１を介して撹拌筒軸３，３一端から該撹拌筒軸３，３内に供給されるとともに、該撹拌筒軸３，３に溶着される中空状のブラケット６，６の一端開口部９に連通する各通孔１０，１０から該ブラケット６，６内へ供給され、該ブラケット６，６に嵌入される撹拌爪２，２との間隙から撹拌中の堆肥中に噴出される。
従って、撹拌筒軸３の通孔１０，１０には直接堆肥が接触せず目詰まりすることがなく、又、撹拌爪２周囲から圧搾空気を送り出すことにより、該撹拌爪２により細かく解した状態の堆肥に圧搾空気を直接噴風して乾燥させ、又、この噴風により堆肥の撹拌混合と解し作用を促進し、更に、堆肥中に空気を多く含ませて好気性の微生物の増殖を促すことができる。
又、図８に示すものは、撹拌筒軸３の通孔１０を撹拌爪２の回転方向後方側に位置させて設けたものであり、同様に通孔が目詰まりすることなく、撹拌中の堆肥中に圧搾空気を供給することができる。
【図面の簡単な説明】
【図１】平面図。
【図２】搬送部の断面図。
【図３】引継部の断面図。
【図４】正面図。
【図５】一部の拡大平面図。
【図６】一部の拡大平面図。
【図７】要部の斜視図。
【図８】他の実施例を示す要部の斜視図。
【符号の説明】
１    タンク
２    撹拌爪
３    撹拌軸
４    搬送翼
５    搬送軸
６    ブラケット
７    他端開口部
８    止具
９    一端開口部
１０    通孔
イ    内向回転
Ａ    搬送方向
Ｂ    搬送方向
【図１】
2004315259.tif 000003
【図２】
2004315259.tif 000004
【図３】
2004315259.tif 000005
【図４】
2004315259.tif 000006
【図５】
2004315259.tif 000007
【図６】
2004315259.tif 000008
【図７】
2004315259.tif 000009
【図８】
2004315259.tif 000010